(57)【要約】【課題】  施錠作業の効率向上を図る。【解決手段】  本発明に係るパチンコ機の施錠装置は、解錠位置にある係合爪部材３０をその位置にロックするとともに、第１の枠に対して第２の枠がほぼ全閉位置まで閉じられたときに、ロック状態を解除するロック機構５０と、係合爪部材３０の係合爪３５の先端部に形成されており、ロック機構５０のロック状態が解除され、かつその係合爪３５が第２の枠の爪受け具と係合していない状態で、第２の枠の爪受け具に当接可能な傾斜面３５ｄとを有しており、傾斜面３５ｄは、第２の枠の爪受け具を介してその傾斜面に伝えられる第２の枠の閉じ力を、係合爪部材３０の解錠方向のスライド力に変換可能に構成されている。このため、例えば、第２の枠の爪受け具に対して係合爪部材３０の係合爪３５の一つが外れたような場合には、第２の枠に対して閉じ力を加えることで、外れた状態の係合爪３５を第２の枠の爪受け具に掛けることができる。【選択図】        図３
2005296403.tif 000002
【特許請求の範囲】
【請求項１】
第１の枠に対して扉状に開閉可能な第２の枠の施錠を行うパチンコ機の施錠装置であって、
前記第１の枠の輪郭縦線に沿って、その第１の枠に固定されているガイドプレートと、
前記ガイドプレートに沿って施錠位置と解錠位置との間でスライド可能に構成されており、前記施錠位置で第２の枠に固定された複数の爪受け具とそれぞれ係合可能な複数の係合爪を備える板状の係合爪部材と、
前記係合爪部材を施錠位置に保持可能な弾性体と、
施錠位置にある前記係合爪部材を前記弾性体の弾性力に抗して解錠位置までスライドさせることが可能な錠本体と、
解錠位置にある前記係合爪部材をその位置にロックするとともに、前記第１の枠に対して第２の枠がほぼ全閉位置まで閉じられたときに、ロック状態を解除するロック機構と、
前記係合爪部材の係合爪の先端部に形成されており、前記ロック機構のロック状態が解除され、かつその係合爪が前記第２の枠の爪受け具と係合していない状態で、前記第２の枠の爪受け具に当接可能な傾斜面とを有しており、
前記傾斜面は、前記第２の枠の爪受け具を介してその傾斜面に伝えられる前記第２の枠の閉じ力を、前記係合爪部材の解錠方向のスライド力に変換可能に構成されていることを特徴とするパチンコ機の施錠装置。
【請求項２】
請求項１に記載されたパチンコ機の施錠装置であって、
ロック機構は、係合爪部材に形成された被係合部と、
その係合爪部材をスライド可能に支持するガイドプレートに連結されており、解錠位置にある前記係合爪部材の被係合部と係合可能に構成された鉤部と、
前記鉤部と前記係合爪部材の被係合部とを係合状態に保持可能なバネ材と、
第２の枠がほぼ全閉位置まで閉じられる際に、その第２の枠の閉じ力を受けて、前記鉤部をバネ材の力に抗して前記係合爪部材の被係合部から外れる方向に移動させる押圧力受け部と、
を有することを特徴とするパチンコ機の施錠装置。
【発明の詳細な説明】
【技術分野】
【０００１】
本発明は、第１の枠に対して扉状に開閉可能な第２の枠の施錠を行うパチンコ機の施錠装置に関する。
【背景技術】
【０００２】
これに関連する従来のパチンコ機における施錠装置が特許文献１に記載されている。
前記施錠装置は、遊技盤や制御装置等が取付けられる表枠に対するガラス枠の施錠を行う装置であり、図７に示すように、その表枠の縦側面に沿って上下摺動可能に構成された係合爪部材９０を備えている。係合爪部材９０の上部と下部には、前記ガラス枠の爪受け具９４に対して下方から係合するＶ溝形の係合爪９２が形成されている。また、係合爪部材９０の中央下部には横向きの切欠き９３が形成されている。
また、表枠の縦側面には、解錠位置（下限位置）までスライドした係合爪部材９０の切欠き９３と係合可能に構成されたロック部材９６が上下回動可能な状態で取付けられている。ロック部材９６は、解錠時に係合爪部材９０がシリンダ錠によって解錠位置（下限位置）までスライドさせられたときに、その係合爪部材９０を解錠位置（下限位置）に保持する働きをする。また、ロック部材９６は、施錠時にガラス枠がほぼ全閉位置まで閉じられる際に、そのガラス枠に押圧されて上方に回動し、係合爪部材９０の切欠き９３から外される。これによって、係合爪部材９０はバネ力で上方にスライドし、上下の係合爪９２がガラス枠の爪受け具９４と係合することで、施錠が行われる。
【０００３】
【特許文献１】実公昭６１−４２６３９号公報
【発明の開示】
【発明が解決しようとする課題】
【０００４】
上記したパチンコ機の施錠装置によると、施錠時に係合爪部材９０の上下の係合爪９２がバネ力でガラス枠の爪受け具９４と係合する際に、例えば、ガラス枠が重量等により歪んでいると、一方の係合爪９２のみが爪受け具９４に掛かるような状態も起こりえる。このような場合には、シリンダ錠で係合爪部材９０を解錠位置（下限位置）までスライドさせた後、再びガラス枠を閉じなければならないため、施錠作業の効率が悪い。
本発明は、上記問題点を解決するためになされたものであり、本発明の技術的課題は、施錠不良時における施錠作業の効率向上を図ることである。
【課題を解決するための手段】
【０００５】
上記した課題は、各請求項の発明によって解決される。
請求項１の発明は、第１の枠に対して扉状に開閉可能な第２の枠の施錠を行うパチンコ機の施錠装置であって、前記第１の枠の輪郭縦線に沿って、その第１の枠に固定されているガイドプレートと、前記ガイドプレートに沿って施錠位置と解錠位置との間でスライド可能に構成されており、前記施錠位置で第２の枠に固定された複数の爪受け具とそれぞれ係合可能な複数の係合爪を備える板状の係合爪部材と、前記係合爪部材を施錠位置に保持可能な弾性体と、施錠位置にある前記係合爪部材を前記弾性体の弾性力に抗して解錠位置までスライドさせることが可能な錠本体と、解錠位置にある前記係合爪部材をその位置にロックするとともに、前記第１の枠に対して第２の枠がほぼ全閉位置まで閉じられたときに、ロック状態を解除するロック機構と、前記係合爪部材の係合爪の先端部に形成されており、前記ロック機構のロック状態が解除され、かつその係合爪が前記第２の枠の爪受け具と係合していない状態で、前記第２の枠の爪受け具に当接可能な傾斜面とを有しており、前記傾斜面は、前記第２の枠の爪受け具を介してその傾斜面に伝えられる前記第２の枠の閉じ力を、前記係合爪部材の解錠方向のスライド力に変換可能に構成されている。
【０００６】
本発明によると、第２の枠をほぼ全閉位置まで閉じることで、ロック機構のロック状態が解除されため、第１の枠に装着された係合爪部材の係合爪を弾性体の弾性力で自動的に第２の枠の爪受け具に掛けることができるようになる。
また、係合爪部材の係合爪の先端部には傾斜面が形成されており、その傾斜面は、第２の枠の爪受け具を介してその傾斜面に伝えられる第２の枠の閉じ力を、係合爪部材の解錠方向のスライド力に変換可能に構成されている。このため、例えば、第２の枠の爪受け具に対して係合爪部材の係合爪の一つが外れたような場合には、第２の枠に対して閉じ力を加えることで、その第２の枠の爪受け具と係合爪の傾斜面との摺動作用により、係合爪部材を解錠方向にスライドさせることができる。即ち、第２の枠に対して閉じ力を加えることで、外れた状態の係合爪を第２の枠の爪受け具に掛けることが可能になる。このため、錠本体を使用して係合爪部材を再び解錠位置まで戻す手間が不要になり、施錠不良時における施錠作業の効率向上を図ることができる。
【０００７】
請求項２の発明によると、ロック機構は、係合爪部材に形成された被係合部と、その係合爪部材をスライド可能に支持するガイドプレートに連結されており、解錠位置にある前記係合爪部材の被係合部と係合可能に構成された鉤部と、前記鉤部と前記係合爪部材の被係合部とを係合状態に保持可能なバネ材と、第２の枠がほぼ全閉位置まで閉じられる際に、その第２の枠の閉じ力を受けて、前記鉤部をバネ材の力に抗して前記係合爪部材の被係合部から外れる方向に移動させる押圧力受け部とを有することを特徴とする。
本発明によると、第２の枠がほぼ全閉位置まで閉じられる際、押圧力受け部が第２の枠の閉じ力を受けて鉤部をバネ材の力に抗して係合爪部材の被係合部から外れる方向に移動させる。これによって、ロック機構のロック状態が解除され、解錠位置にある係合爪部材が弾性体の弾性力でガイドプレートに沿って施錠位置までスライドするようになる。
【発明の効果】
【０００８】
本発明によれば、施錠不良の場合でも、第２の枠に対して閉じ力を加えることで、外れた状態の係合爪を第２の枠の爪受け具に掛けることができるため、施錠作業の効率向上を図ることができる。
【発明を実施するための最良の形態】
【０００９】
以下、図１から図６に基づいて、本発明の実施形態１に係るパチンコ機の施錠装置の説明を行う。ここで、図１は本実施形態に係る施錠装置を備えるパチンコ機の前方斜視全体図、図２はパチンコ機の後方斜視図である。図３は施錠装置のガラス枠施錠部分を表す分解側面図等であり、図４は表枠施錠部分を表す分解側面図である。また、図５はロック機構の動作を表す側面図、図６はガラス枠の施錠不良の一例を表す側面図等である。なお、パチンコ機の幅方向をＸ方向、前後方向をＹ方向、高さ方向をＺ方向として図示する。
【００１０】
パチンコ機１は、図１、図２に示すように、略方形枠状に形成されて本体ケースとなる機台枠２を備えている。機台枠２の前面側には、ヒンジ（図示せず）を介して遊技盤等の支持枠３（以下、表枠３という）が扉状に開閉可能に取付けられている。表枠３は図示されていない遊技盤や制御装置等、パチンコ機の主要部品が取付けられる枠であり、その表枠３の前面にヒンジを介して片開き状にガラス枠５が取付けられている。また、このガラス枠５の下部側に、玉受け皿を有する前板６がヒンジを介して片開き状に取付けられている。
【００１１】
機台枠２には、図２に示すように、縦枠２ａの内側面の上下所定位置にその機台枠２の内方に突出する第１爪受け具７が止着されている。第１爪受け具７には、表枠３に取付けられた施錠装置１０の上下の第１係合爪２０（図４参照）がそれぞれ掛けられようになっている。そして、第１係合爪２０が第１爪受け具７に掛けられた状態で、表枠３は機台枠２に対して施錠される。
図１に示すように、表枠３の表面回動自由端側を構成する縦枠３ａには、ガラス枠５の上部、下部に対応する位置に一対の長孔３ｂが貫設されており、それらの長孔３ｂから施錠装置１０の上下の第２係合爪３５（図３参照）が突出している。また、ガラス枠５の上端に対応する位置に長孔３ｃが貫設されており、その長孔３ｃから止め爪３７が突出している。
【００１２】
一方、ガラス枠５の回動自由端側の裏面には、表枠３の回動自由端側の表面から突出した第２係合爪３５が掛けられる第２爪受け具８と、止め爪３７が掛けられる止め爪用受け具８ｚが止着されている。そして、第２係合爪３５が第２爪受け具８に、また止め爪３７が止め爪用受け具８ｚに、それぞれ掛けられた状態で、ガラス枠５は表枠３に対して施錠される。
表枠３の縦枠３ａには、上下の長孔３ｂの間に開口３ｅが形成されており、その開口３ｅから施錠装置１０のロック機構５０の押圧力受け部５４ｆ（後述する）の先端部が突出している。
【００１３】
また、表枠３の縦枠３ａには、前板６の上端、下端に対応する位置に一対の長孔３ｆが貫設されており、それらの長孔３ｆに前板６の回動自由端側の裏面に設けられた第３係合爪９が挿入可能となっている。表枠３の裏側には、長孔３ｆに通された第３係合爪９が掛けられる第３爪受け具（図示省略）が設けられている。
上下の長孔３ｆの間には、シリンダ錠２２が通される錠取付孔が貫設されている。また、前板６の回動自由端には、表枠３のシリンダ錠２２に対応する位置に、そのシリンダ錠２２との干渉を避けるための切欠き６ｃが設けられている。
【００１４】
施錠装置１０は、表枠３に対するガラス枠５の施錠と、機台枠２に対する表枠３の施錠とを行う装置であり、図２に示すように、表枠３の裏面回動自由端側に縦設されている。施錠装置１０は、断面略Ｌ字形をしたガイドプレート１５と、上下に一対の第１係合爪２０を備える第１係合爪部材２５（図４参照）と、上下に一対の第２係合爪３５等を備える第２係合爪部材３０（図３参照）等とを備えている。
ここで、図３（Ａ）は施錠装置１０のガラス枠施錠部分を表す側面図、図３（Ｂ）はその分解側面図である。また、図４は表枠施錠部分を表す分解側面図である。ここで、図３のガラス枠施錠部分と図４の表枠施錠部分とは、実際に重ねられた状態でガイドプレート１５に装着されるが、各々の動作を分かり易くするため、分けた状態で記載している。
【００１５】
ガイドプレート１５は、施錠装置１０を表枠３の裏面に取付けるとともに第１係合爪部材２５及び第２係合爪部材３０等をスライド可能に支持する部材であり、図２等に示すように、固定板１７とガイド板１８とにより断面略Ｌ形に形成されている。固定板１７は、表枠３の輪郭縦線Ｒ（図２参照）に沿ってその表枠３の裏面３ｚに固定されている。また、ガイド板１８は輪郭縦線Ｒから一定寸法離れた位置で表枠３の裏面３ｚ（固定板１７）に対してほぼ直角に立設されている。ここで、表枠３の輪郭縦線Ｒ側（固定板１７側）をガイド板１８の表側と呼ぶことにする。
ガイドプレート１５の固定板１７の下端部寄りには、図３、図４に示すように、シリンダ錠２２が着脱可能に取付けられている。シリンダ錠２２は施錠装置１０の解錠を行うための錠であり、そのシリンダ錠２２の回転軸２２ｊの先端に略Ｖ字形状の解錠レバー２３が取付けられている。
【００１６】
解錠レバー２３は、第１解錠片２３ａと第２解錠片２３ｂとから構成されており、下側の第１解錠片２３ａが後述する第１係合爪部材２５の掛合突片２６（図４参照）と下方から係合している。このため、シリンダ錠２２がキー操作されて、解錠レバー２３が右回動すると、第１解錠片２３ａによって第１係合爪部材２５が押し上げられる。また、解錠レバー２３の第２解錠片２３ｂは後述する第２係合爪部材３０の掛合突片３６に上方から係合している（図３（Ｂ）参照）。このため、シリンダ錠２２のキー操作により解錠レバー２３が左回動すると、第２解錠片２３ｂによって第２係合爪部材３０が押し下げられる。
【００１７】
第１係合爪部材２５は、図４に示すように、ガイド板１８に沿って上方にスライドすることにより上下の第１係合爪２０を上回動させ、下方にスライドすることによりそれらの第１係合爪２０を下回動させる錠板であり、その第１係合爪部材２５が下限位置にあるときに、第１係合爪２０は機台枠２の第１爪受け具７と係合する水平位置（係合位置）に保持される。
【００１８】
第１係合爪２０は上方から機台枠２の第１爪受け具７に掛けられる構成であり、それらの第１係合爪２０の下側先端部に第１爪受け具７と係合する切り欠き２０ｋが形成されている。また、切り欠き２０ｋの位置から第１係合爪２０の先端までは、先端側が高くなるように傾斜した傾斜面２０ｓが形成されている。第１係合爪２０の傾斜面２０ｓは、表枠３を施錠する際に機台枠２の第１爪受け具７に対して摺動する部分である。
【００１９】
各々の第１係合爪２０は、図４に示すように、その基端部が第１ロックピン２０ｐによって上部支持プレート１７ａ及び下部支持プレート１７ｂにそれぞれ回動可能な状態で取付けられている。そして、上部支持プレート１７ａ及び下部支持プレート１７ｂがガイドプレート１５の固定板１７に取付けられている。また、各々の第１係合爪２０の略中央部が連結ピン２０ｒによって後記する第１係合爪部材２５の上部板２７と下部板２９とに連結されている。
【００２０】
第１係合爪部材２５は、図４に示すように、上部板２７と、中央板２８と、下部板２９とから構成されている。第１係合爪部材２５の上部板２７は、その板面がガイドプレート１５のガイド板１８とほぼ平行に保持された帯状の短板であり、その上端部に上側の第１係合爪２０が前述の連結ピン２０ｒによって回動可能に連結されている。上部板２７の中央部には、バネ受け２７ｂが形成されており、そのバネ受け２７ｂに、第１バネ４１の一端が掛けられている。そして、第１バネ４１の他端がガイドプレート１５（固定板１７）のバネ受け１７ｘに掛けられている。第１バネ４１は、上部板２７を引き下げる方向に付勢されている。
また、上部板２７の下端部には、上部ピン２７ｐが固定されている。
【００２１】
第１係合爪部材２５の中央板２８は、その板面がガイド板とほぼ平行に保持された帯状の長板であり、その中央板２８の上端部に上縦長孔２８ｕが形成されている。そして、その上縦長孔２８ｕに上部板２７の上部ピン２７ｐが通されている。これによって、第１係合爪部材２５の上部板２７と中央板２８とが直列に連結される。
また、中央板２８の下端部の近傍には、切欠き２８ｈが形成されており、その切欠き２８ｈの縦辺のほぼ中央に掛合突片２６が形成されている。そして、図４に示すように、掛合突片２６に前述のシリンダ錠２２の第１解錠片２３ａが下方から掛けられるようになっている。
【００２２】
中央板２８の下端部には下縦長孔２８ｄが形成されており、その下縦長孔２８ｄに下部板２９の上端に取付けられた下部ピン２９ｐが通されている。これによって、第１係合爪部材２５の中央板２８と下部板２９とが直列に連結される。下部板２９は、その板面がガイド板１８とほぼ平行に保持された帯状の短板であり、その下端部に下側の第１係合爪２０が前述の連結ピン２０ｒによって回動可能に連結されている。また、下部板２９の上部中央には、前述の下部ピン２９ｐが固定されている。
【００２３】
下部板２９の上部側端には、バネ受け２９ｂが形成されており、そのバネ受け２９ｂに、第２バネ４２の一端が掛けられている。そして、第２バネ４２の他端がガイドプレート１５（固定板１７）のバネ受け１７ｙに掛けられている。第２バネ４２は、下部板２９を引き下げる方向に付勢されている。
即ち、上部板２７、中央板２８及び下部板２９は前述の第１バネ４１及び第２バネ４２の力で下限位置に保持されており、上下の第１係合爪２０は機台枠２の第１爪受け具７に掛けられる係合位置（水平位置）に保持されている。また、この状態で、上部板２７の上部ピン２７ｐ及び下部板２９の下部ピン２９ｐは、図４に示すように、中央板２８の上縦長孔２８ｕ及び下縦長孔２８ｄの下端面にそれぞれ当接している。なお、ガイドプレート１５の固定板１７には、中央板２８の下限ストッパ１７ｚが形成されている。
【００２４】
この状態から、シリンダ錠２２の第１解錠片２３ａによって第１係合爪部材２５の中央板２８の掛合突片２６が押上げられると、その中央板２８の上縦長孔２８ｕ及び下縦長孔２８ｄの下端面によって下部ピン２９ｐ、上部ピン２７ｐが押上げられ、上部板２７及び下部板２９は共に第１バネ４１及び第２バネ４２の力に抗して上方にスライドする。これによって、第１係合爪２０は第１ロックピン２０ｐの回りを上方に回動し、第１係合爪２０と機台枠２の第１爪受け具７との係合が解除されて、表枠３の解錠が行われる。
即ち、シリンダ錠２２が本発明の錠本体に相当する。
【００２５】
第２係合爪部材３０は、図３(Ａ)、（Ｂ）に示すように、その板面がガイド板１８とほぼ平行に保持された帯状の長板である。第２係合爪部材３０の上部寄り及び下部寄りにはガラス枠５の施錠に使用される第２係合爪３５が図中左方向に突出形成されている。上下の第２係合爪３５は、図１に示すように、表枠３の上下の長孔３ｂからその先端部分が突出するように形成されており、ガラス枠５の第２爪受け具８に下方から掛けられる構成である。上下の第２係合爪３５は、ガイド板１８に沿って上限位置（施錠位置）までスライドした状態で、ガラス枠５の第２爪受け具８と係合状態に保持される。
また、第２係合爪部材３０の上端には、止め爪３７が同じく図中左方向に突出形成されている。止め爪３７は、表枠３の長孔３ｃからその先端部分が突出するように形成されており、ガラス枠５の止め爪用受け具８ｚに下方から掛けられる構成である。
【００２６】
第２係合爪３５の先端部分は、略台形状に切り欠かれており、その切欠き部の上端に下向きの上側傾斜面３５ｕが形成されている。上側傾斜面３５ｕは、ガラス枠５の解錠の際、そのガラス枠５の第２爪受け具８をガラス枠５の開方向に押圧する部分であり、先端側が高くなるように傾斜が設けられている。また、第２係合爪３５の切欠き部の奥側下端にはＶ字形溝３５ｖが形成されている。Ｖ字形溝３５ｖは、ガラス枠５の第２爪受け具８に掛けられる部分であり、ガラス枠５の第２爪受け具８に合わせてその深さ寸法が設定されている。
さらに、第２係合爪３５の切欠き部の下端には、Ｖ字形溝３５ｖより先端寄りの位置に上向きの下側傾斜面３５ｄが形成されている。下側傾斜面３５ｄは、ガラス枠５の施錠の際、そのガラス枠５の第２爪受け具８が当接し、さらに摺動する部分であり、ガラス枠５の閉じ力を第２係合爪部材３０の押し下げ力（解錠方向の力）に変換する働きをする。下側傾斜面３５ｄは、先端側が低くなるよう傾斜が設けられている。
【００２７】
止め爪３７は、側面略三角形状の先端部３７ｚと横板３７ｋとから構成されており、先端部３７ｚと横板３７ｋとの境界部分に形成された上部段差３７ｄにガラス枠５の止め爪用受け具８ｚが掛けられるようになっている。また、止め爪３７の先端部３７ｚには、三角形の一辺（上辺）に相当する部分に上側傾斜面３７ｅが形成されており、その上側傾斜面３７ｅにガラス枠５の止め爪用受け具８ｚが当接し、さらに摺動するように構成されている。
第２係合爪部材３０の上端部、中央部及び下端部にはそれぞれ縦長孔３４ｕ，３４ｍ，３４ｄが形成されており、各々の縦長孔３４ｕ，３４ｍ，３４ｄにガイドプレート１５のガイド板１８に固定された連結ピン１８ｘ，１８ｙ，１８ｚが通されている（図３（Ａ）参照）。この構成により、第２係合爪部材３０はガイド板１８に対して縦長孔３４ｕ，３４ｍ，３４ｄの長さ寸法分だけ上下スライドが可能になる。
【００２８】
第２係合爪部材３０の下方に設けられた第２係合爪３５の上には、バネ受け３３が形成されており、そのバネ受け３３に、第３バネ４３の一端が掛けられている。そして、第３バネ４３の他端がガイドプレート１５（固定板１７）のバネ受け１７ｋに掛けられている。第３バネ４３は、第２係合爪部材３０を引き上げる方向に付勢されている。
第２係合爪部材３０の左端下部（図３（Ｂ）参照）には、縦長孔３４ｄの近傍に掛合突片３６が形成されている。そして、掛合突片３６に前述のシリンダ錠２２の第２解錠片２３ｂが上方から掛けられるように構成されている。
【００２９】
これによって、シリンダ錠２２の第２解錠片２３ｂによって第２係合爪部材３０の掛合突片３６が押下げられると、その第２係合爪部材３０が第３バネ４３の力に抗して下限位置までスライドする。これによって、第２係合爪３５及び止め爪３７は下方に変位し、第２係合爪３５とガラス枠５の第２受け具８との係合が解除されるとともに、止め爪３７とガラス枠５の止め爪用受け具８ｚとの係合が解除される。即ち、第２係合爪部材３０が下限位置（解錠位置）まで下降することで、ガラス枠５の解錠が行われる。
【００３０】
ガイドプレート１５のガイド板１８には、第２係合爪部材３０を下限位置（解錠位置）に保持するロック機構５０が設けられている。ロック機構は、図５等に示すように、横向きＶ字形をした回動部材５２を備えている。回動部材５２は、上部アーム５３と下部アーム５４とを備えており、その上部アーム５３と下部アーム５４との基端部（合体部）が連結ピン１８ｐにより上下回動可能な状態でガイドプレート１５のガイド板１８に取付けられている。
回動部材５２の上部アーム５３の先端には、鉤爪５３ｋが形成されており、回動部材５２が上方に回動（図中右回動）することにより、その鉤爪５３ｋが下限位置（解錠位置）にある第２係合爪部材３０の切欠き３８と係合可能に構成されている。
【００３１】
また、回動部材５２の基端部（合体部）の先端にはバネ受け５５が形成されており、そのバネ受け５５に第４バネ４４の一端が掛けられている。そして、第４バネ４４の他端がガイドプレート１５のガイド板１８のバネ受け１８ｅに掛けられている。第４バネ４４は、回動部材５２を上方に回動（図中右回動）させる方向に付勢されている。
回動部材５２の下部アーム５４は、上部アーム５３の鉤爪５３ｋが第２係合爪部材３０の切欠き３８と係合している状態で、図５（Ａ）及び図１に示すように、その先端部分５４ｆ（押圧力受け部５４ｆ）がガイドプレート１５の開口１７ｈを介して表枠３の開口３ｅから突出している。
【００３２】
このため、表枠３に対してガラス枠５がほぼ全閉位置まで閉じられると、図５（Ｂ）に示すように、そのガラス枠５が回動部材５２の下部アーム５４を押圧し、回動部材５２は第４バネ４４のバネ力に抗して図中左回りに回動する。これによって、上部アーム５３の鉤爪５３ｋと第２係合爪部材３０の切欠き３８との係合が外れ、ロック機構５０のロック状態が解除される。
即ち、表枠３が本発明の第１の枠、ガラス枠５が本発明の第２の枠に相当し、第３バネ４３が本発明の弾性体に相当する。また、第２係合爪部材３０の切欠き３８が本発明の係合爪部材の被係合部に相当し、上部アーム５３の鉤爪５３ｋが本発明の鉤部に相当する。
【００３３】
次に、パチンコ機１の施錠装置１０の動作を簡単に説明する。
先ず、ガラス枠５を開く場合には、シリンダ錠２２をキー操作して解錠レバー２３を左回動させる。これによって、解錠レバー２３の第２解錠片２３ｂが第２係合爪部材３０の掛合突片３６を押し下げる。即ち、第２係合爪部材３０が第３バネ４３のバネ力に抗して下限位置までスライドし、第２係合爪３５とガラス枠５の第２受け具８との係合が解除されるとともに、止め爪３７とガラス枠５の止め爪用受け具８ｚとの係合が解除される。これによって、ガラス枠５の解錠が行われる。
第２係合爪部材３０が第３バネ４３のバネ力に抗して下限位置までスライドすると、ロック機構５０の回動部材５２が第４バネ４４のバネ力で上方に回動し、上部アーム５３の鉤爪５３ｋが第２係合爪部材３０の切欠き３８と係合する（図５（Ａ）参照）。これによって、第２係合爪部材３０が解錠位置でロック状態に保持される。
【００３４】
したがって、シリンダ錠２２で第２係合爪部材３０を解錠位置までスライドさせた後、その第２係合爪部材３０が第３バネ４３のバネ力で施錠位置まで戻ることがなく、その第２係合爪部材３０の第２係合爪３５等が再びガラス枠５の第２受け具８等に掛かるような不具合がない。
さらに、第２係合爪部材３０が下方にスライドすることにより、第２係合爪３５の上側傾斜面３５ｕがガラス枠５の第２受け具８に対して摺動し、その第２受け具８をガラス枠５の開方向に押圧する。これによって、ガラス枠５が開状態に保持される。
【００３５】
ガラス枠５の施錠は、そのガラス枠５を全閉にすることにより自動的に行われる。即ち、ガラス枠５を閉じることにより、図５（Ｂ）に示すように、そのガラス枠５がロック機構５０の回動部材５２の下部アーム５４を押圧し、回動部材５２は第４バネ４４のバネ力に抗して図中左回りに回動する。これによって、上部アーム５３の鉤爪５３ｋと第２係合爪部材３０の切欠き３８との係合が外れ、ロック機構５０のロック状態が解除される。ロック機構５０のロック状態が解除されると、第２係合爪部材３０が第３バネ４３のバネ力で施錠位置まで上昇し、その第２係合爪部材３０の第２係合爪３５、止め爪３７がガラス枠５の第２受け具８、止め爪用受け具８ｚに掛かり、施錠が行われる。
【００３６】
このとき、図６（Ａ）に示すように、ガラス枠５の反り等により施錠不良が生じた場合、例えば、ガラス枠５の第２受け具８に対して第２係合爪部材３０の第２係合爪３５の一つが掛かり、他の第２係合爪３５が外れた場合には、ガラス枠５に対して再び閉じ方向の押圧力を加えるようにする。これによって、ガラス枠５の第２受け具８と表枠３側に設けられた第２係合爪３５の下側傾斜面３５ｄとが当接して摺動し、図６（Ｂ）〜（Ｄ）に示すように、その摺動作用によって第２係合爪部材３０が解錠方向（下方）にスライドする。この結果、外れている第２係合爪３５をガラス枠５の第２受け具８に掛け直すことができるようになる。したがって、シリンダ錠２２を使用して第２係合爪部材３０を再び解錠位置まで戻す手間がなくなり、施錠不良時における施錠作業の効率を向上させることができる。
【００３７】
機台枠２に対する表枠３の施錠は、その表枠３を閉じることにより自動的に行われる。
表枠３の施錠状態で、例えば、下側の第１係合爪２０が特殊工具により解錠方向（上回動方向）の力を受けると、第１係合爪２０は解錠方向に回動するとともに、第１係合爪部材２５の下部板２９が上方にスライドする。しかし、第１係合爪部材２５の下部板２９が上方にスライドしても、下部板２９の下部ピン２９ｐは中央板２８の下縦長孔２８ｄ内を上方に移動するだけであり、両者２９ｐ，２８ｄは係合しない。このため、第１係合爪２０の回動力は第１係合爪部材２５の中央板２８に伝わらない。したがって、第１係合爪部材２５の中央板２８は下限位置に保持され、上側の第１係合爪２０も第１バネ４１の力で下限位置に保持される。即ち、下側の第１係合爪２０を不正解錠しても上側の第１係合爪２０は施錠位置に保持されるため、表枠３を開くことはできない。
【００３８】
同様に、上側の第１係合爪２０を不正解錠しても、その第１係合爪２０の回動力は第１係合爪部材２５の中央板２８に伝わらないため、下側の第１係合爪２０は施錠位置に保持される。したがって、表枠３を開くことはできない。即ち、表枠３を不正に開くためには、上下の第１係合爪２０を同時に特殊工具で解錠しなければならないため、不正行為が成立し難くなる。
【００３９】
表枠３の解錠はシリンダ錠２２のキー操作により行なわれる。即ち、シリンダ錠２２をキー操作して解錠レバー２３を右回動させることで、その解錠レバー２３の第１解錠片２３ａが第１係合爪部材２５の中央板２８の掛合突片２６を押上げる。これによって、中央板２８の上縦長孔２８ｕ及び下縦長孔２８ｄの下端面によって下部板２９の下部ピン２９ｐ、上部板２７の上部ピン２７ｐが押上げられ、上部板２７及び下部板２９は共に第１バネ４１及び第２バネ４２の力に抗して上方にスライドする。この結果、上下の第１係合爪２０は第１ロックピン２０ｐの回りを上方に回動（図４中左回動）し、それらの第１係合爪２０が機台枠２の第１受け具７から外され、表枠３の解錠が行われる。
【００４０】
上記したように、本実施形態に係るパチンコ機の施錠装置１０によると、ガラス枠５の反り等による施錠不良が生じた場合にも、前述のように、そのガラス枠５に対して閉じ方向の押圧力を加えることによって、施錠を行うことができるようになる。このため、シリンダ錠２２を使用して第２係合爪部材３０を再び解錠位置まで戻す手間が不要になり、施錠作業の効率向上を図ることができる。なお、本実施形態に係るパチンコ機の施錠装置１０では、ガラス枠施錠部分にロック機構５０を設ける例を示したが、表枠施錠部分にロック機構５０を設けることも可能である。
【図面の簡単な説明】
【００４１】
【図１】本発明の実施形態１に係る施錠装置を備えるパチンコ機の前方斜視全体図である。
【図２】パチンコ機の後方斜視図である。
【図３】施錠装置のガラス枠施錠部分を表す側面図（Ａ図）及び分解側面図（Ｂ図）である。
【図４】施錠装置の表枠施錠部分を表す分解側面図である。
【図５】ロック機構の動作を表す側面図（Ａ図、Ｂ図）である。
【図６】施錠不良の一例を表す側面図（Ａ図）及び施錠不良時の施錠方法を表す詳細図（Ｂ図,Ｃ図,Ｄ図）である。
【図７】従来の施錠装置を表す分解斜視図である。
【符号の説明】
【００４２】
２      機台枠
３      表枠（第１の枠）
５      ガラス枠（第２の枠）
８      第２爪受け具（爪受け具）
１５    ガイドプレート
１７    固定板
１８    ガイド板
２２    シリンダ錠（錠本体）
３０    第２係合爪部材
３８    切欠き（ロック機構の被係合部）
３５    第２係合爪（係合爪）
３５ｄ  下側傾斜面（傾斜面）
４３    第３バネ（弾性体）
４４    第４バネ（バネ材）
５０    ロック機構
５３ｋ  鉤爪（鉤部）
５４ｆ  押圧力受け部
Ｒ      輪郭縦線
【図１】
2005296403.tif 000003
【図２】
2005296403.tif 000004
【図３】
2005296403.tif 000005
【図４】
2005296403.tif 000006
【図５】
2005296403.tif 000007
【図６】
2005296403.tif 000008
【図７】
2005296403.tif 000009